(57)【要約】【課題】ＰＤＰ装置等の表示方法において、表示データにおける動画擬似輪郭の発生領域を精度良く判断・検出して対処することにより、表示映像における動画擬似輪郭を低減又は解消できる技術を提供する。【解決手段】ＰＤＰ装置の擬似輪郭検出部５０では、桁上げ検出部５１で、映像信号をもとに、隣接画素のＳＦ点灯パターンにおいて、所定の条件に照らして、桁上げに対応する画素領域を動画擬似輪郭発生領域として検出する。そして幅制御部５２では、検出領域を動き量に応じて拡張する。この検出領域に対して、ディザまたは誤差拡散による拡散処理（実階調数制限処理）を行う。前記桁上げの検出条件は、桁上げ階調を挟んだ隣接階調において重いＳＦの点灯状態が異なることである。【選択図】図４
2007101923.tif 000002
【特許請求の範囲】
【請求項１】
入力される表示データをもとにサブフィールド法を用いて階調表示を行うデジタル表示装置であって、
前記入力される表示データの画像における第１の画素と第２の画素が空間的に隣接し、第１の画素に対応する第１のサブフィールド点灯パターンと第２の画素に対応する第２のサブフィールド点灯パターンとにおける重み付けの大きいサブフィールドの点灯／非点灯の状態が異なることに対応した第１の画素領域を検出する第１の手段と、
前記第１の手段によって検出した第１の画素領域に対し、ディザまたは誤差拡散による拡散処理を行う第２の手段とを有することを特徴とするデジタル表示装置。
【請求項２】
請求項１記載のデジタル表示装置において、
前記入力される表示データの画像の各画素の動き量を検出する動き検出手段と、
前記第１の手段によって検出した第１の画素領域を中心として、前記動き検出手段によって検出した動き量に応じた所定の幅または範囲の第２の画素領域を決定する幅制御手段とを有し、
前記幅制御手段によって決定した第２の画素領域に対し前記第２の手段により前記拡散処理を行うことを特徴とするデジタル表示装置。
【請求項３】
請求項１記載のデジタル表示装置において、
前記第１の手段は、前記表示データの画像における水平方向に隣接する第１の画素の階調と第２の画素の階調との検出を行うことを特徴とするデジタル表示装置。
【請求項４】
請求項１記載のデジタル表示装置において、
前記第１の手段は、前記表示データの画像における垂直方向に隣接する第１の画素の階調と第２の画素の階調との検出を行うことを特徴とするデジタル表示装置。
【請求項５】
請求項１記載のデジタル表示装置において、
前記第１の手段は、前記第２の画素の階調が前記第１の画素の階調よりも高い場合において、
前記第２の画素の階調の最大点灯サブフィールドＳＦｘが、前記第１の画素の階調では非点灯であり、
前記ＳＦｘと異なる所定のサブフィールドＳＦｙ（ｙ＜ｘ）が、前記第１の画素の階調で点灯かつ前記第２の画素の階調で非点灯である場合に、
前記第１の画素領域として検出することを特徴とするデジタル表示装置。
【請求項６】
請求項１記載のデジタル表示装置において、
前記第１の手段は、前記第２の画素の階調が前記第１の画素の階調よりも高い場合において、
前記第２の画素の階調の最大点灯サブフィールドＳＦｘが、前記第１の画素の階調では非点灯であり、
前記ＳＦｘより重み付けが一つ小さいサブフィールドＳＦｘ−１が、前記第１の画素の階調で点灯かつ前記第２の画素の階調で非点灯である場合に、
前記第１の画素領域として検出することを特徴とするデジタル表示装置。
【請求項７】
請求項１記載のデジタル表示装置において、
前記第１の手段は、前記第２の画素の階調が前記第１の画素の階調よりも高い場合において、
前記第１の画素の階調と前記第２の画素の階調の最大点灯サブフィールドＳＦｘが同一であり、
前記ＳＦｘと異なる所定のサブフィールドＳＦｙ（ｙ＜ｘ）が、前記第１の画素の階調で非点灯かつ前記第２の画素の階調で点灯であり、
前記ＳＦｘ及びＳＦｙと異なる所定のサブフィールドＳＦｚが、前記第１の画素の階調で点灯かつ前記第２の画素の階調で非点灯である場合に、
前記第１の画素領域として検出することを特徴とするデジタル表示装置。
【請求項８】
請求項１記載のデジタル表示装置において、
前記第１の手段は、前記第２の画素の階調が前記第１の画素の階調よりも高い場合において、
前記第１の画素の階調と前記第２の画素の階調の最大点灯サブフィールドＳＦｘが同一であり、
前記ＳＦｘと異なる所定のサブフィールドＳＦｙ（ｙ＜ｘ）が、前記第１の画素の階調で非点灯かつ前記第２の画素の階調で点灯であり、
前記ＳＦｙより重み付けが一つ小さいサブフィールドＳＦｚが、前記第１の画素の階調で点灯かつ前記第２の画素の階調で非点灯である場合に、
前記第１の画素領域として検出することを特徴とするデジタル表示装置。
【請求項９】
請求項２記載のデジタル表示装置において、
前記幅制御手段は、前記動き量の大きさに応じて前記第２の画素領域の幅または範囲を拡張することを特徴とするデジタル表示装置。
【請求項１０】
請求項２記載のデジタル表示装置において、
前記幅制御手段は、前記第１の画素領域を検出した階調の方向に前記第２の画素領域の幅または範囲を拡張することを特徴とするデジタル表示装置。
【請求項１１】
請求項２記載のデジタル表示装置において、
前記動き検出手段で検出した動き量が所定の値以下である場合には、前記幅制御手段での第２の画素領域の幅または範囲を無しにすることを特徴とするデジタル表示装置。
【請求項１２】
請求項２記載のデジタル表示装置において、
前記第２の手段は、前記表示データに対してディザ処理を行うディザ手段を有し、
前記表示データの画像の第１の画素の階調と第２の画素の階調との差を計算し、その差の値が所定の値以下の場合のみ、前記第２の画素領域に対し前記ディザ手段でのディザ処理を選択して実行することを特徴とするデジタル表示装置。
【請求項１３】
請求項１２記載のデジタル表示装置において、
前記所定の値は、前記表示データの階調毎の、前記ディザ処理におけるディザ量であることを特徴とするデジタル表示装置。
【請求項１４】
請求項１２記載のデジタル表示装置において、
前記第２の画素領域に対し、前記動き検出手段によって検出した動き量に応じて、前記第２の手段における前記誤差拡散による拡散処理と前記ディザ手段によるディザ処理とを切り替えて実行することを特徴とするデジタル表示装置。
【請求項１５】
入力される表示データをもとにサブフィールド法を用いて階調表示を行うデジタル表示装置における表示方法であって、
前記入力される表示データの画像における第１の画素と第２の画素が空間的に隣接し、第１の画素に対応する第１のサブフィールド点灯パターンと第２の画素に対応する第２のサブフィールド点灯パターンとにおける重み付けの大きいサブフィールドの点灯／非点灯の状態が異なることに対応した第１の画素領域を検出する第１の工程と、
前記第１の工程によって検出した第１の画素領域に対し、ディザまたは誤差拡散による拡散処理を行う第２の工程とを有することを特徴とする、デジタル表示装置の表示方法。
【請求項１６】
請求項１５記載のデジタル表示装置の表示方法において、
前記入力される表示データの画像の各画素の動き量を検出する動き検出工程と、
前記第１の工程によって検出した第１の画素領域を中心として、前記動き検出工程によって検出した動き量に応じた所定の幅または範囲の第２の画素領域を決定する幅制御工程とを有し、
前記幅制御工程によって決定した第２の画素領域に対し前記第２の工程により前記拡散処理を行うことを特徴とする、デジタル表示装置の表示方法。
【請求項１７】
請求項１５記載のデジタル表示装置の表示方法において、
前記第１の工程は、前記第２の画素の階調が前記第１の画素の階調よりも高い場合において、
前記第２の画素の階調の最大点灯サブフィールドＳＦｘが、前記第１の画素の階調では非点灯であり、
前記ＳＦｘと異なる所定のサブフィールドＳＦｙ（ｙ＜ｘ）が、前記第１の画素の階調で点灯かつ前記第２の画素の階調で非点灯である場合に、
前記第１の画素領域として検出することを特徴とする、デジタル表示装置の表示方法。
【請求項１８】
請求項１５記載のデジタル表示装置の表示方法において、
前記第１の工程は、前記第２の画素の階調が前記第１の画素の階調よりも高い場合において、
前記第１の画素の階調と前記第２の画素の階調の最大点灯サブフィールドＳＦｘが同一であり、
前記ＳＦｘと異なる所定のサブフィールドＳＦｙ（ｙ＜ｘ）が、前記第１の画素の階調で非点灯かつ前記第２の画素の階調で点灯であり、
前記ＳＦｘ及びＳＦｙと異なる所定のサブフィールドＳＦｚが、前記第１の画素の階調で点灯かつ前記第２の画素の階調で非点灯である場合に、
前記第１の画素領域として検出することを特徴とする、デジタル表示装置の表示方法。
【請求項１９】
請求項１６記載のデジタル表示装置の表示方法において、
前記幅制御工程は、前記動き量の大きさに応じて、前記第１の画素領域を検出した階調の方向に、前記第２の画素領域の幅または範囲を拡張することを特徴とする、デジタル表示装置の表示方法。
【請求項２０】
請求項１６記載のデジタル表示装置の表示方法において、
前記第１の工程では、前記表示データの画像の第１の画素の階調と第２の画素の階調との差を計算してその差の値と所定の値とを比較し、前記差の値が前記所定の値以下の場合に、前記第２の工程では、前記第２の画素領域に対し、ディザ処理を選択して実行することを特徴とするデジタル表示装置の表示方法。
【発明の詳細な説明】
【技術分野】
【０００１】
本発明は、プラズマディスプレイ装置（ＰＤＰ装置）などのデジタル表示装置及び表示方法の技術に関し、特に、サブフィールド法を用いて階調表示を行う方法において発生する動画擬似輪郭などのノイズや映像品質劣化に対処するための技術に関する。
【背景技術】
【０００２】
ＰＤＰ装置など、表示データのデジタル信号をもとに表示パネルにおける画素の表示を制御するデジタル表示装置では、公知のサブフィールド法を用いて映像（動画像）の表示を行っている。サブフィールド法を用いた階調表示に伴い、動画擬似輪郭と呼ばれるノイズの発生が問題となる。
【０００３】
ＰＤＰ装置におけるサブフィールド法において、表示パネル画面における画像（フレーム）に対応した１フィールドは、重み付けされた複数のサブフィールド（ＳＦと略称する）、例えば１０個のＳＦ（ＳＦ１〜ＳＦ１０）で構成される。１フィールドにおける重み付けの異なる各ＳＦの発光（点灯）／非発光（非点灯）の組合せ（ＳＦ点灯パターン）によって、階調が表現される。各ＳＦは、サステイン期間（Ｔｓ）即ち維持放電回数がそれぞれ異なるように、重み付けされている。
【０００４】
上記サブフィールド法における階調表示においては、人間の目の残像効果などにより、特に動き部分に、本来は存在しないはずの不自然な色の輪郭が発生する現象が生じる。この現象は一般に動画擬似輪郭などと呼ばれる。そこで、この動画擬似輪郭に対処する技術が要求されている。
【０００５】
表示装置における動画擬似輪郭に対する対処のための技術について例えば特許第３３２２８０９号公報（特許文献１）に記載されている。このような従来技術では、１画素単位で判断して動画擬似輪郭の発生しやすい画素を検出している。そして検出した画素に対して、動画擬似輪郭が出ないように変換処理を行っている。
【特許文献１】特許第３３２２８０９号公報
【発明の開示】
【発明が解決しようとする課題】
【０００６】
前記動画擬似輪郭（以下、単にノイズともいう）の低減または解消のためには、動画擬似輪郭が発生する領域の正確な検出が重要である。従来の技術では、表示データにおいて、動きが検出された領域かつ動画擬似輪郭の発生し易い階調の画素領域を、動画擬似輪郭発生領域として判断し検出していた。そして、その検出した領域に対し、対処の処理として、ディザまたは誤差拡散によって拡散処理していた。従来技術では、画像における１画素単位でノイズ発生領域を判断し検出していた。動画擬似輪郭発生領域は、換言すれば、実際に表示映像において動画擬似輪郭が発生すると予め予想される画素領域である。
【０００７】
上記方法によりノイズに対しある程度対処することができる。しかしながら、動画擬似輪郭は、空間的に隣接する画素のＳＦ点灯パターンにおいて重み付けの大きいＳＦの点灯状態が異なるときに発生する。動き部分の含まれる映像において、隣接画素の階調の各々が動画擬似輪郭を発生し難い階調であっても、それらの階調が、動画擬似輪郭の発生し易い階調を跨いでいる階調である場合（近い階調の組の場合）には、その隣接画素領域において動画擬似輪郭が発生し得る。
【０００８】
図２０に、動画擬似輪郭の発生の一例について示す。ｐ１〜ｐ８は、連続する階調の例であり、それぞれ、ＳＦ１〜ＳＦ８によるＳＦ点灯パターンを示している。ＳＦ１からＳＦ１０へと重み付けが大きくなる場合を示す。ｐ５の階調は、ＳＦ点灯パターンにおいてＳＦ８への桁上がりに対応した階調である。即ち、ｐ４まではＳＦ７が最大点灯ＳＦ（最も重み付けの大きいＳＦ）であったが、ｐ５からはＳＦ８が最大点灯ＳＦである。このような桁上がりに対応した階調であるｐ５は、重み付けの大きいＳＦ８の影響によって動画擬似輪郭が発生し易い階調であることが予め判明しているので、動画擬似輪郭発生領域として検出して対処処理される。
【０００９】
上記ｐ５の階調を間に挟んでいるｐ１とｐ６の階調の組が、画像における隣接２画素となる場合を考える。この場合、ｐ１とｐ６による隣接画素のＳＦ点灯パターンにおいて、重み付けの大きいＳＦであるＳＦ８とＳＦ６の点灯状態が異なっている。従来ｐ１とｐ６のそれぞれは動画擬似輪郭の発生し難い階調として扱っていた。即ち単独画素では動画擬似輪郭発生領域としては検出していなかった。しかし、ｐ１とｐ６による隣接画素領域において、ｐ６を正面から見た場合と、斜めの視線で示すように斜めに見た場合とでは、重いＳＦにおける点灯状態が異なるため、動画擬似輪郭が発生する。
【００１０】
上記のように、従来技術では動画擬似輪郭発生領域の検出が不十分で検出漏れの可能性があった。即ちノイズへの対処が不十分であるという問題があった。
【００１１】
また、従来の方法に従って動画擬似輪郭が発生する画素領域を正確に検出できた場合でも、画素領域の動き量が大きい場合は、その残像により動画擬似輪郭又はそれに類するノイズの領域が広く観察されるという問題もあった。図２１には、そのような動き時の残像によるノイズの発生について示す。表示パネル面（例として水平方向断面を示す）において、画素Ｐは、動画擬似輪郭発生及び検出領域の１つである。表示上でＰに動きがある場合に人間の目がそのＰを追随するが、特にＰの動き量が大きい場合、そのＰによる残像領域も、動画擬似輪郭又はそれに類するノイズとして知覚される。
【００１２】
本発明は以上のような問題に鑑みてなされたものであり、その目的は、ＰＤＰ装置等のデジタル表示装置及びその表示方法において、表示データにおける動画擬似輪郭の発生領域を精度良く判断・検出して対処することにより、表示映像における動画擬似輪郭を低減又は解消できる技術を提供することにある。
【課題を解決するための手段】
【００１３】
本願において開示される発明のうち、代表的なものの概要を簡単に説明すれば、次のとおりである。前記目的を達成するために、本発明は、サブフィールド法を用いて階調表示を行うＰＤＰ装置等のデジタル表示装置及びその表示方法の技術であって、以下に示す技術的手段を備えることを特徴とする。本デジタル表示装置は、本表示方法に従って表示データの処理を行う表示制御及び駆動回路部と、その回路部によって駆動される表示パネル部とを有する。
【００１４】
本発明の技術では、第１に、表示データにおける動画擬似輪郭発生領域を精度良く検出するために、従来技術のように１画素単位での判断及び検出に限らずに、表示データにおける空間的に隣接する画素を判断して上記領域を検出する手段を有する。本第１の手段では、隣接画素におけるＳＦ点灯パターンを比較し、上記領域の検出のためのいくつかの条件（検出条件）に照らしてそれを満たす場合に、該当画素領域を、「桁上げ有り」領域、即ち本表示方法における動画擬似輪郭発生領域として判定し、この発生領域により動画擬似輪郭検出領域を決定する。このように決定された検出領域に対して、所定のノイズ対処の処理を施す。このノイズ対処処理により、実際の表示映像における動画擬似輪郭の発生を低減又は解消する。
【００１５】
また第２に、上記第１の手段による処理・制御と共に、表示データからの動き量の計算をもとに、その動き量情報に応じて、上記動画擬似輪郭検出領域を拡張する処理、換言すれば画素領域の動き量に応じて検出の幅または範囲を制御する処理を行う手段を有する。本第２の手段により、前記動画擬似輪郭発生領域を有効にカバーすること、即ち前記発生領域の動きによる残像の影響が出ないように予め拡張領域により覆って対処することが可能となる。この検出領域拡張（幅制御）の際、領域を拡張する方向は、例えば隣接２画素のうち高い階調の方向、換言すればＳＦ点灯パターンにおける桁上げを検出した方向とする。また領域を拡張する大きさは、例えば前記動き量の大きさに応じて検出画素の幅、範囲、数などを２倍以上にする。
【００１６】
より詳しい構成は例えば以下である。本デジタル表示装置は、入力される表示データをもとにサブフィールド法を用いて階調表示を行うものであって、前記入力される表示データの画像における第１の画素（Ｐ１）と第２の画素（Ｐ２）が空間的に隣接し、Ｐ１に対応する第１のサブフィールド点灯パターンとＰ２に対応する第２のサブフィールド点灯パターンとにおける重み付けの大きいサブフィールドの点灯／非点灯（発光／非発光）の状態が異なること（これを「桁上げ」と称する）に対応した第１の画素領域を動画擬似輪郭発生領域として検出する第１の手段（桁上げ検出手段）を有する。そして、前記第１の手段によって検出した第１の画素領域に対し、ディザまたは誤差拡散による拡散処理などの動画擬似輪郭に対処するためのノイズ対処処理を行う第２の手段を有する。前記誤差拡散による拡散処理は、誤差拡散を応用した拡散処理であり、例えば元表示データをその全階調数よりも少ない階調数へ制限するようにデータ変換する処理（実階調数制限処理）である。
【００１７】
また、本デジタル表示装置は、前記入力される表示データの画像の各画素の動き量を検出する動き検出手段と、前記第１の手段によって検出した第１の画素領域を中心として、前記動き検出手段によって検出した動き量に応じた所定の幅または範囲の第２の画素領域を決定する、換言すれば動画擬似輪郭検出領域を拡張する、幅制御手段とを有する。前記幅制御手段によって決定した第２の画素領域に対し前記第２の手段により前記ノイズ対処処理を行う。
【００１８】
また、前記第１の手段では、隣接画素領域の判断として、前記表示データの画像における水平方向や垂直方向に隣接するＰ１とＰ２の階調を判断することにより前記第１の画素領域の検出を行う。
【００１９】
また、前記検出条件は、例えば以下（１）〜（４）のような関係を有する場合であり、第１の手段は、その条件を満たす画素を、第１の画素領域として検出する。
【００２０】
（１）Ｐ２の階調がＰ１の階調よりも高い場合において、Ｐ２の階調の最大点灯サブフィールドＳＦｘが、Ｐ１の階調では非点灯であり、ＳＦｘと異なる所定のサブフィールドＳＦｙ（ｙ＜ｘ）が、Ｐ１の階調で点灯かつＰ２の階調で非点灯である場合。
【００２１】
（２）Ｐ２の階調がＰ１の画素の階調よりも高い場合において、Ｐ２の階調のＳＦｘが、Ｐ１の階調では非点灯であり、ＳＦｘより重み付けが一つ小さいサブフィールドＳＦｘ−１が、Ｐ１の階調で点灯かつＰ２の階調で非点灯である場合。
【００２２】
（３）Ｐ２の階調がＰ１の画素の階調よりも高い場合において、Ｐ１の階調とＰ２の階調のＳＦｘが同一であり、ＳＦｘと異なる所定のサブフィールドＳＦｙ（ｙ＜ｘ）が、Ｐ１の階調で非点灯かつＰ２の階調で点灯であり、ＳＦｘ及びＳＦｙと異なる所定のサブフィールドＳＦｚが、Ｐ１の階調で点灯かつＰ２の階調で非点灯である場合。
【００２３】
（４）Ｐ２の階調がＰ１の階調よりも高い場合において、Ｐ１の階調とＰ２の階調のＳＦｘが同一であり、ＳＦｘと異なる所定のサブフィールドＳＦｙ（ｙ＜ｘ）が、Ｐ１の階調で非点灯かつＰ２の階調で点灯であり、ＳＦｙより重み付けが一つ小さいサブフィールドＳＦｚが、Ｐ１の階調で点灯かつＰ２の階調で非点灯である場合。
【００２４】
また、本装置は、前記動き検出手段で検出した動き量が所定の値以下である場合に、前記幅制御手段での第２の画素領域の幅または範囲を無し（ゼロ）にする。即ち、動画擬似輪郭発生領域ではないものとして扱い、メインパスで処理する。
【００２５】
また、前記第２の手段は、前記表示データに対してディザ処理を行うディザ手段（ディザ部）を有する。例えば本ディザ手段を実階調数制限処理手段と並列に設けた構成とし、画素領域に応じて選択して適用する。本装置は、前記表示データの画像のＰ１の階調とＰ２の階調との差を計算し、その差の値と所定の値（ｔ）とを比較する手段（階調差比較手段）を有し、その差の値が所定の値（ｔ）以下の場合のみ、前記ディザ手段でのディザ処理を選択して実行するようにする。また例えば、前記所定の値（ｔ）は、前記表示データの階調毎の、前記ディザ処理における制御量であるディザ量とする。また、画像の画素領域に応じて処理を切り替える判定及び切り替え手段において、前記第２の画素領域に対し、前記動き検出手段によって検出した動き量に応じて、前記誤差拡散による拡散処理と、前記ディザ手段によるディザ処理とを切り替える。
【発明の効果】
【００２６】
本願において開示される発明のうち、代表的なものによって得られる効果を簡単に説明すれば以下のとおりである。本発明によれば、ＰＤＰ装置等のデジタル表示装置及びその表示方法において、表示データにおける動画擬似輪郭の発生領域を精度良く判断・検出して対処することにより、表示映像における動画擬似輪郭を低減又は解消できる。
【発明を実施するための最良の形態】
【００２７】
以下、本発明の実施の形態を図面に基づいて詳細に説明する。なお、実施の形態を説明するための全図において、同一部には原則として同一符号を付し、その繰り返しの説明は省略する。図１〜１９は、本実施の形態を説明するためのものである。
【００２８】
図１は、本発明の実施の形態１のデジタル表示装置であるＰＤＰ装置１のブロック構成を示す。図２は、ＰＤＰ装置１におけるパネル１６０の表示セル単位の構成として、前面基板４１側と背面基板４２側の貼り合わせ前の構成を示す。図３は、前提技術におけるサブフィールド法におけるフィールド構成を示す。
【００２９】
（実施の形態１）
まず、基本となる技術構成を以下説明する。図１において、本ＰＤＰ装置１は、表示制御及び駆動回路部２、パネル（ＰＤＰ）１６０などを有する構成である。パネル１６０に対して表示制御及び駆動回路部（以下、回路部ともいう）２が接続される。回路部２は、装置全体の制御回路（コントローラ）部分と、表示駆動回路（ドライバ）部分とを含む。
【００３０】
ＰＤＰ装置１のハードウェア構成として、例えば、図示しないシャーシ部に対しパネル１６０が貼り合わせられ、シャーシ部の背面側に回路部２等を実装したＩＣや図示しない電源回路部などが配置されたＰＤＰモジュールを有する。パネル１６０の端部が、駆動回路部に対応するドライバモジュール（フレキシブル基板に対しドライバＩＣ等を実装したモジュール）により接続される。このような構成のＰＤＰモジュールが、外部筐体に収容され、ＰＤＰ装置セットが構成される。
【００３１】
回路部２において、表示制御回路部分は、外部から表示データ（映像信号）Ｄを含むインタフェース信号を入力し、データ変換等の信号処理を行う。本信号処理には、動画擬似輪郭を含むノイズに対する対処の処理が含まれる。表示制御回路部分は、駆動回路部を制御するためのタイミング信号Ｔ等の制御信号を形成し、これにより駆動回路部を制御する。各ドライバは、表示制御回路部分からの表示データＤとタイミング信号Ｔ等に従い、パネル１６０の対応する電極群を駆動する。入力される表示データＤは、例えばＲＧＢ形式であり、Ｒ（赤）・Ｇ（緑）・Ｂ（青）の各色に対応した信号から成る。表示制御及び駆動回路部２は、例えばＡＳＩＣ（特定用途向け集積回路）等のハードウェアで実装される。
【００３２】
回路部２では、図示しないメモリ部に蓄積されるデータ信号（Ｄ）をもとに、アドレスドライバ１２０を制御する。またタイミング信号Ｔにより、アドレスドライバ１２０、スキャン及びサステインドライバ（Ｘ及びＹドライバに対応する）１５０をそれぞれ制御する。
【００３３】
アドレスドライバ１２０は、表示データ（Ｄ）をもとに、パネル１６０のデータ線（アドレス電極）を駆動する。スキャン及びサステインドライバ１５０において、スキャンドライバ部分は、パネル１６０の走査線（Ｙ電極に対応する）を駆動する。またサステインドライバ部分では、Ｘドライバ部分は、パネル１６０のＸ電極を駆動し、Ｙドライバ部分は、スキャンドライバ部分を介して、パネル１６０のＹ電極を駆動する。パネル１６０の表示画面において、アドレスドライバ１２０とスキャンドライバ部分からの駆動により、表示セル決定のためのアドレス放電が行われる。次いでＸ及びＹドライバ部分からの駆動により、表示セル発光のための維持放電が行われる。
【００３４】
図２において、パネル１６０であるＰＤＰは、主に前面基板４１と背面基板４２との二枚のガラスを主とする基板によって構成されている。パネル１６０は、前面基板４１と背面基板４２とが、隔壁４８等を介して対向するように貼り合わせられ、その空間において排気及び放電ガスが封入され封止されることにより構成される。
【００３５】
前面基板４１には、第１の方向に、複数本の第１（Ｘ）電極及び第２（Ｙ）電極を略平行に備える。各Ｘ，Ｙ電極は、維持放電用の電極や走査用の電極となる。Ｘ，Ｙ電極間で維持放電が行われる。各Ｘ，Ｙ電極は、例えば、バス電極と透明電極とにより構成される。バス電極は、ドライバ側と電気的に接続される、金属製の直線バー形状の電極である。透明電極は、バス電極に対し電気的に接続され、放電スリットを形成する、ＩＴＯ（酸化インジウムスズ）層膜などによる電極である。本例では、前面基板４１に対し、Ｘ透明電極３ｂ及びＹ透明電極４ｂと、Ｘバス電極３ａ及びＹバス電極４ａとが、立体的に形成されている。前面基板４１上のＸ，Ｙ電極は、誘電体層４３及び保護層４４で覆われる。
【００３６】
また、背面基板４２には、Ｘ，Ｙ電極と直交する第２の方向に、第３（Ａ）電極であるアドレス電極（データ電極）４７が複数本、略平行に配置されている。アドレス電極４７は、誘電体層４５で覆われる。Ｙ−Ｘ電極で挟まれアドレス電極４７と交差している領域により、表示セルが形成されている。
【００３７】
前面基板４１と背面基板４２との間は、例えば縦方向（第２の方向）ストライプ状に区分された領域を形成するための複数の隔壁４８が形成されている。隔壁４８で区分された領域には、Ｒ，Ｇ，Ｂの各色の蛍光体層（４６ｒ，４６ｇ，４６ｂ）が区別して塗布される。これら各色の表示セルにより画素が構成される。なお、横方向（第１の方向）にも隔壁を設けた形態なども可能である。
【００３８】
図３において、ＰＤＰであるパネル１６０の表示駆動方法であるサブフィールド法を確認する。フィールド構成として、パネル１６０の一表示画面（画像フレーム）に対応する１フィールド（ＦＤ）は、重み付けされた、時分割される複数のサブフィールド（ＳＦ）から成る。例えばＳＦ１〜ＳＦ１０の１０個のＳＦから成る。１フィールドにおける重み付けの異なる各ＳＦの発光（点灯）／非発光（非点灯）の組合せ（ＳＦ点灯パターン）によって、階調が表現される。各ＳＦは、例えばリセット期間（Ｔｒ）、アドレス期間（Ｔａ）、サステイン期間（Ｔｓ）を順に有する。各ＳＦは、サステイン期間（Ｔｓ）即ち維持放電回数の違いにより、重み付けがなされている。例えば一番重み付けが小さいＳＦ１から、一番重み付けが大きいＳＦ１０まで、順に異なるサステイン期間（Ｔｓ）が与えられている。
【００３９】
パネル１６０の表示駆動では、まず、リセット期間（Ｔｒ）の動作として、残存する電荷の均一化などが行われ、次に、アドレス期間（Ｔａ）の動作として、Ａ−Ｙ電極の間の対向放電により、対象セルにおけるデータメモリ（壁電荷の蓄積）が行われる。そしてサステイン（維持放電）期間（Ｔｓ）の動作として、Ｘ−Ｙ電極間での面放電により、対象セルでの放電発光が発生する。
【００４０】
上記基本構成を踏まえて実施の形態１を説明する。図４は、実施の形態１のＰＤＰ装置１の回路部２における擬似輪郭検出部５０の構成を示す。図５は、実施の形態１の表示方法における、動画擬似輪郭検出領域の拡張についての説明を示す。図６〜図８は、実施の形態１におけるＳＦ点灯パターン表の例（その１）を示す。図９〜図１５は、実施の形態１におけるＳＦ点灯パターン表の例（その２）を示す。
【００４１】
前記図１において、表示制御及び駆動回路部２は、逆γ補正部１０、ゲイン部２０、第１の誤差拡散部３０、動き検出部４０、擬似輪郭検出部５０、非線形ゲイン部６０、第２の誤差拡散部７０、コード変換部９０、判定及び切り替え部１００、ＳＦ（サブフィールド）変換部１１０、アドレスドライバ１２０、ＡＰＣ演算部１３０、駆動信号生成部１４０、スキャン及びサステインドライバ１５０といった各回路部（ブロック）を有する。実施の形態１では、擬似輪郭検出回路５０が特徴部分である。
【００４２】
実階調数制限処理部１７０では、非線形ゲイン部６０と誤差拡散部７０とコード変換部９０とにより実階調数制限処理を行う。この処理は、ＳＦ変換部１１０で使用する点灯パターンの種類（実階調数と称する）を、所定の条件に従って限定する処理である。この所定の条件とは、例えば、特定のＳＦより重みの小さい全ＳＦが点灯している点灯パターンであること（図６等における白三角で示す階調に対応する）である。
【００４３】
映像信号（Ｄ）の処理のパスとして、ゲイン部２０及び第１の誤差拡散部３０を経由する側はメインパスであり、実階調数制限処理部１７０を経由する側はサブパスである。擬似輪郭検出部５０の出力（制御信号）に基づき、判定及び切り替え部１００で、動画擬似輪郭検出領域に対してサブパス側の出力を用い、それ以外の領域に対してはメインパス側の出力を用いるように選択する。
【００４４】
逆γ補正部１０は、入力映像信号（Ｄ）に対し逆γ補正処理（表示データと階調電圧と出力映像の関係の調整）を施して出力する。動き検出部４０は、入力映像信号（Ｄ）の輝度信号から求めた１フィールド間の差分と２フィールド間の差分に基づいて、画像中の動きを含む領域を検出し出力する。この検出結果出力には、動き領域の動き量情報が含まれる。
【００４５】
メインパスにおいて、ゲイン部２０は、入力映像信号（Ｄ）に対しゲイン係数を乗算する。これにより、後段の第１の誤差拡散部３０において、入力映像信号の全域にわたって誤差拡散処理を行うことができる。第１の誤差拡散部３０は、ゲイン部２０を介して得られる映像信号に対して誤差拡散を行う。これにより、擬似的に中間調を生成して階調数を増加する。
【００４６】
サブパスにおいて、非線形ゲイン部６０は、全体として線形の表示特性を得るために、誤差拡散後の表示特性と逆関数の補正を行い、ゲイン係数を乗算して出力する。第２の誤差拡散部７０は、非線形ゲイン部６０を介して得られる映像信号に対して誤差拡散を行う。これにより、擬似的に中間調を生成して階調数を増加する。コード変換部９０は、サブパスにおける輝度レベルをメインパスにおける輝度レベルに整合させるためのコード変換を行う。
【００４７】
擬似輪郭検出部５０は、メインパスの第１の誤差拡散部３０の出力信号を入力し、動き検出部４０からの動き量情報をもとに、動画擬似輪郭発生領域を判断して動画擬似輪郭検出領域として検出し、制御信号（パス選択信号）を出力する。
【００４８】
判定及び切り替え部１００は、擬似輪郭検出部５０からの出力信号（パス選択信号）に従い、入力映像信号（Ｄ）の画素領域に応じて使用するパス（メインパス／サブパス）を切り替える。即ち、動画擬似輪郭検出領域に対しサブパスを選択するように、第１の誤差拡散部３０の出力とコード変換部９０の出力とを切り替えて、ＳＦ変換部１１０に出力する。
【００４９】
ＳＦ変換部１１０は、判定及び切り替え部１００の出力信号をもとに、映像信号におけるどの階調をどの時刻のＳＦで点灯するかを示すデータ（ＳＦ点灯パターンデータ）に変換して、各駆動回路（１２０，１５０）に対し供給する。
【００５０】
アドレスドライバ１２０は、ＳＦ変換部１１０からのデータに基づいてパネル１６０のアドレス電極を駆動する。ＳＦにおけるアドレス期間（Ｔａ）での駆動により、パネル１６０の表示セル群におけるデータアドレッシングが行われる。
【００５１】
ＡＰＣ演算部１３０は、ＳＦ変換部１１０からのデータを、タイミング信号Ｔに基づき、ＳＦ重み付けに応じた維持放電回数設定の演算を施して、駆動信号生成部１４０へ出力する。駆動信号生成部１４０は、ＡＰＣ演算部１３０を介したデータを受け取り、スキャン／サステインドライバ１５０を制御及びデータ出力してパネル１６０のサステイン放電駆動を制御する。スキャン／サステインドライバ１５０は、駆動信号生成部１４０からのデータに基づいてパネル１６０のスキャン電極／サステイン電極を駆動する。
【００５２】
図４において、擬似輪郭検出部５０は、桁上げ検出部５１、幅制御部５２の各回路部を有する。擬似輪郭検出部５０では、映像信号(ｄ１)及び動き量情報(ｄ２)をもとに、桁上げ検出すなわち動画擬似輪郭発生領域の判断及び検出と、その検出領域の空間的拡張（換言すれば幅制御）とを行う。桁上げ検出部５１は、映像信号（ｄ１）の入力をもとに、画像における水平方向または垂直方向の隣接２画素のＳＦ変換後の信号（ＳＦ点灯パターン）を比較し、後述の条件（検出条件）を満足するかどうかで桁上げ有り無し即ち動画擬似輪郭発生領域を検出する。桁上げ検出部５１は、桁上げ検出結果と桁上げ方向の信号（図５における桁上げ信号Ｃに対応する）を含む信号（ｄ３）を、幅制御部５２に送信する。幅制御部５２は、動き検出部４０からの動き量情報（ｄ２）により、桁上げ検出部５１からの桁上げ検出結果の信号すなわち動画擬似輪郭発生領域に対応した画素領域を、桁上げ方向に従って空間的に拡張し、その結果の制御信号（ｄ４）として判定及び切り替え部１００へ出力する。
【００５３】
図５において、幅制御部５２における桁上げ検出領域の拡張の説明として、前記隣接２画素の判断における桁上げ方向によって、桁上げ検出結果の画素領域を拡張する例を示す。Ｃは桁上げ信号、Ｄは映像信号、Ｍは動き量を表すものとする。Ｄにおいて隣接画素領域で階調が変化している場合を例示しており、Ｐ１〜Ｐ４は画素に対応する。
【００５４】
図５（ａ）に示す水平右方向への桁上げ検出時では、画像が水平方向に暗い階調から明るい階調に変化しており、桁上げを、第１の画素（Ｐ１とする）と第２の画素（Ｐ２とする）の間で検出した例である。この桁上げの検出により、まずＰ２は動画擬似輪郭発生領域として確定され桁上げ検出結果となる。この隣接２画素で高い階調はＰ２なので、桁上げ方向は右方向となる。従って幅制御部５２での処理として、画像における水平右方向に、動き量（ｄ２）の大きさに応じて元の検出領域（Ｐ２）を拡張している。例えばＭが小、中、大、最大の４段階に応じて画素領域を拡大している場合を示している。Ｍが小の範囲内の場合にはＰ２の桁上げ方向の隣接画素で拡大は１倍（無し）とし、同様に、Ｍが中範囲内の場合は２倍に、Ｍが大範囲内の場合には３倍に、Ｍが最大範囲内の場合には４倍に拡大している。この拡張された領域が、動画擬似輪郭検出領域となり、Ｐ２の残像領域をカバーする領域となる。なお拡張方法は、上記４段階に応じずともよい。
【００５５】
図５（ｂ）に示す水平左方向への桁上げ検出時は、画像が水平方向に明るい階調から暗い階調に変化しており、桁上げを第３の画素（Ｐ３とする）と第４の画素（Ｐ４とする）の間で検出した例である。高い階調はＰ３なので左方向検出となる。図５（ａ）と同様に、画像における左方向に動き量に応じて検出領域を拡張している。
【００５６】
また例えば、動き検出部４０で検出した動き量が所定の値以下なら、幅制御部５２の決定領域を無しとするように制御する。
【００５７】
判定及び切り替え部１００は、擬似輪郭検出部５０からの出力信号（ｄ４）に従って判定して出力を切り替える。判定及び切り替え部１００では、擬似輪郭検出部５０において検出された画素領域に対しては、コード変換部９０の出力信号、即ち実階調数制限された映像信号を選択して出力し、その他の画素領域については第１の誤差拡散部３０の出力信号、即ち実階調数制限されていない映像信号を選択して出力する。
【００５８】
擬似輪郭検出部５０において、前述した桁上げ検出の際の第１の条件は、隣接２画素（Ｐ１，Ｐ２とする）において、第２の階調（＝Ｐ２の階調）が第１の階調（＝Ｐ１の階調）よりも高いとき、第２の階調の最大点灯サブフィールドＳＦｘが、第１の階調では非点灯であり、ＳＦｘと異なる所定のサブフィールドＳＦｙ（ｙ＜ｘ）が、第１の階調で点灯かつ第２の階調で非点灯であるときである。前記最大点灯サブフィールドＳＦｘとは、１フィールド内で点灯するＳＦのうちで最も重み付けが大きいＳＦのことであり、例えば図２０におけるｐ５の場合ならＳＦ８である。
【００５９】
上記条件及び判定の具体的な例を、図６〜図８に示すＳＦ点灯パターン表の例（その１）を用いて説明する。１フィールドがＳＦ１〜ＳＦ１０から成るものとする。図６は、階調０から階調２１までのＳＦ点灯パターンを表し、同様に図７は続く階調２２から階調４１までを表し、図８は続く階調４２から階調５５までを表す。
【００６０】
本例では、例えば１１階調、１６階調、２２階調、２９階調、３７階調、４６階調が、それぞれ桁上げ階調である。桁上げ階調を黒の三角で示している。なお、１フィールド内で重み付けの小さいＳＦほど動画擬似輪郭等のノイズへの影響も小さいため、本例ではＳＦ５以上を対象として考慮している。これらの桁上げ階調は、従来方法に従い桁上げ検出される階調である。
【００６１】
また、全点灯ＳＦがＳＦ１から連続している階調、換言すれば間欠的な非点灯ＳＦが無い階調を白の三角で示している。例えば、その穴無しの階調に相当する階調１０では、ＳＦｘ＝ＳＦ４であり、階調１１からＳＦｘ＝ＳＦ５へと桁上がりとなる。例えば全階調数が５６階調の場合において白の三角で示すような穴無しの階調は階調０を含めて１１個存在する。実階調数制限処理部１７０の処理では、例えばこれら白の三角で示す特定の階調を用いて、階調数が制限された映像信号を作成する。
【００６２】
そして、前記課題でも述べたように、前記桁上げ階調だけでなく、前記桁上げ階調の少なくとも１つを挟む隣接２階調（画像において空間的に隣接した２画素の階調）においても、動画擬似輪郭が発生する。例えば画像における隣接２画素（Ｐ１，Ｐ２）が図７の斜線の三角で示す階調３３と階調３９である場合、第１の階調に相当するのが階調３３であり、第２の階調に相当するのが階調３９であり、桁上げ階調である階調３７を挟む階調の組である。第２の階調のＳＦｘはＳＦ９であり、第１の階調のＳＦ９は非点灯である。また第１の階調で点灯し、かつ第２の階調で非点灯であるＳＦｙは、ＳＦ６である。従ってこれらの階調の組（Ｐ１，Ｐ２）は、前記第１の条件を満たす。そのため、階調３７での桁上げ検出に対応して、これらの画素領域も、動画擬似輪郭発生領域として検出することとなる。
【００６３】
前述した桁上げ検出の際の第２の条件は、隣接２画素（Ｐ１，Ｐ２）において、Ｐ２の階調がＰ１の階調よりも高いとき、Ｐ１の階調とＰ２の階調のＳＦｘが同一であり、ＳＦｘと異なる所定のＳＦｙ（ｙ＜ｘ）が、第１の階調で非点灯かつ第２の階調で点灯であり、ＳＦｘ及びＳＦｙと異なる所定のサブフィールドＳＦｚが、第１の階調で点灯かつ第２の階調で非点灯であるときである。
【００６４】
上記第２の条件の具体的な例を、図９〜図１５に示すＳＦ点灯パターン表の例（その２）を用いて説明する。図９は、階調０から階調２１までのＳＦ点灯パターンを表し、同様に図１０は続く階調２２から階調４３までを、図１１は続く階調４４から階調６３までを、図１２は続く階調６４から階調８３までを、図１３は続く階調８４から階調１０７までを、図１４は続く階調１０８から階調１３１までを、図１５は続く階調１３２から階調１４７までを、それぞれ表す。
【００６５】
本例では、例えば１６階調、２８階調、４４階調、６４階調、８８階調、１１６階調でそれぞれ桁上げが発生している（黒の三角で示す）。隣接２画素がこれらの桁上げ階調を挟む階調である場合に、前記第１の条件を満たす。そして更に、３２階調、４８階調、５２階調、６８階調、７２階調、７６階調、９２階調、９６階調、１００階調、１０４階調、１２０階調、１２４階調、１２８階調、１３２階調、１３６階調でそれぞれＳＦｘより下での桁上げ（中間桁上げと称する）が発生している（灰色の三角で示す）。例えば桁上げ階調２８以後の階調２８〜階調３１では、ＳＦｘ＝ＳＦ６であり、ＳＦ５が非点灯であり、中間桁上げ無しである。続く階調３２〜階調３５では、ＳＦｘ＝ＳＦ６より下において、ＳＦ４からＳＦ５への中間桁上げが発生している階調である。これら中間桁上げの階調の少なくとも１つを挟む隣接２画素が、前記第２の条件を満たす。
【００６６】
例えば隣接２画素（Ｐ１，Ｐ２）が階調１２７と階調１３４の組である場合（斜線の三角で示す）、Ｐ１の階調に相当するのが階調１２７であり、Ｐ２の階調に相当するのが階調１３４であり、中間桁上げの階調１２８と階調１３２を挟んでいる組である。前記第２の条件に関して、Ｐ１の階調とＰ２の階調のＳＦｘはＳＦ１０であり、Ｐ１の階調で非点灯かつＰ２の階調で点灯となるＳＦｙはＳＦ７であり、Ｐ１の階調で点灯かつＰ２の階調で非点灯となるＳＦｚはＳＦ５である。従ってこれらは前記第２の条件を満たす。そのため、桁上げに対応した擬似輪郭発生領域として検出することとなる。
【００６７】
以上をまとめると、実施の形態１における回路部２では、表示データ（Ｄ）の画像における隣接画素の階調を判断して、階調（ＳＦ点灯パターン）に応じて、全画素領域を以下のいくつか画素領域に区分して処理する。第１に、黒の三角で示す桁上がり階調（重いもの）の領域について、従来方法通りに動画擬似輪郭（ノイズ）発生領域（第１種の領域）として検出し、サブパスで処理する。第２に、斜線の三角で示す前記検出条件を満たす階調の領域について、擬似輪郭検出部５０における判断により、動画擬似輪郭（ノイズ）発生領域（第２種の領域）として検出し、サブパスで処理する。第３に、上記第１種及び第２種の領域以外の階調の領域について、メインパスで処理する。
【００６８】
以上のように、本実施の形態では、１画素単位のみならず隣接画素の階調の判断に基づき動画擬似輪郭発生領域を検出して実階調数制限処理により対処することができ、表示映像品質を向上できる。
【００６９】
（実施の形態２）
次に実施の形態２を説明する。図１６は、本発明の実施の形態２のＰＤＰ装置１ｂの構成を示す。実施の形態２と実施の形態１との相違点は、回路部２ｂにおいて、ディザ部８０を設けて、第１の誤差拡散部３０と判定及び切り替え部１０１との間に挿入したことと、実施の形態１の擬似輪郭検出部５０と判定及び切り替え部１００を、別の擬似輪郭検出部５０１と判定及び切り替え部１０１に置き換えたことである。実施の形態１の判定及び切り替え部１００では、動画擬似輪郭検出領域に対してはコード変換部９０の出力信号を選択していたが、実施の形態２では、判定及び切り替え回路１０１は、動画擬似輪郭検出領域に対し、コード変換部９０の出力信号とディザ部８０の出力信号とのいずれかを選択するように切り替える。
【００７０】
図１７に、擬似輪郭検出部５０１のブロック構成を示す。実施の形態１に対して異なる部分のみを説明する。擬似輪郭検出部５０１は、桁上げ検出部５１と並列して幅制御部５２の前段に、階調差比較部５３を有する。階調差比較部５３は、映像信号（ｄ１）をもとに、桁上げ検出部５１で比較される隣接２画素の階調差と、所定の値（閾値ｔ）とを比較し、前記階調差が前記所定の値（ｔ）よりも大きい場合には「１」を、それ以外の場合には「０」を、制御信号（ｄ５）として幅制御部５２へ出力する。幅制御部５２は、動き検出部４０からの動き量情報（ｄ２）により、桁上げ検出部５１からの桁上げ検出結果（ｄ３）を、前記桁上げ方向に従って空間的に拡張すると共に、階調差比較部５３からの入力信号（ｄ５）を、同様に空間的に拡張し、処理後の映像信号及び制御信号（ｄ６）を判定及び切り替え部１０１に出力する。階調差比較部５３の処理では、ディザ部８０での処理と、実階調数制限処理部１７０での処理とのいずれを選択するかを判断している。前記所定の値（ｔ）は例えば制御レジスタ等により設定可能としてもよい。
【００７１】
上述の所定の値（ｔ）は、ディザ部８０でのディザ処理におけるディザ量以下とすることにより、ディザ処理が有効に働く。図１８は、ディザ処理と実階調数制限処理との切り替えの方法を説明するものである。図１１，図１２に示すのと同様のＳＦ点灯パターンの階調を例示している。階調差比較部５３では、隣接画素差を計算して、これをディザ量と比較する。隣接画素差≦ディザ量の場合は、ディザ部８０のディザ処理を選択し、逆の場合は実階調数制限処理部１７０の実階調数制限処理を選択するようにする。
【００７２】
映像信号における隣接２画素の階調が例えばＰ５の階調６３，Ｐ６の階調６４の組合せ（Ｑ１）であり、ディザ量＝１のとき、前述の説明によりＰ６でＳＦ７からＳＦ８への桁上げが検出された結果、ディザ部８０で、Ｐ６を中心としてディザ量＝１のディザ処理(Ｄ１)が行われる。つまりＰ６の階調６４は、階調６３と階調６５を拡散して表現される。階調６３と階調６５は桁上げ階調６４を挟んでいるため、動画擬似輪郭を有効に低減できる。階調６３と階調６５において例えばＳＦ７の状態が異なるためディザ処理（Ｄ１）が有効である。
【００７３】
一方、隣接２画素の階調が例えばＰ７の階調５６，Ｐ８の階調７０の組合せ（Ｑ２）であり、ディザ量＝１のとき、桁上げ検出画素であるＰ８に対しディザ処理（Ｄ２）を行っても、Ｐ８の階調７０を階調６９と階調７１に拡散するため、動画擬似輪郭の低減効果は小さい。階調６９と階調７１において例えばＳＦ６の状態が同じであるためディザ処理（Ｄ２）が有効ではない。
【００７４】
つまり、階調差比較部５３に設定する所定の値（ｔ）をディザ量とすることにより、動画擬似輪郭の低減に有効な処理として、ディザ処理が有効な桁上げ検出領域と、実階調数制限処理が有効な桁上げ検出領域とを切り分けることができる。
【００７５】
以上のように、実施の形態２では、隣接画素の階調差の判断に基づき、動画擬似輪郭検出領域に対する対処の処理をディザ処理が有効な場合とそうでない場合とで切り替えることができ、表示映像品質を向上できる。
【００７６】
（実施の形態３）
次に実施の形態３を説明する。図１９は、本発明の実施の形態３のＰＤＰ装置１ｃの構成を示す。実施の形態３と実施の形態２との相違点は、回路部２ｃにおいて、動き検出部４０の結果である動き量情報（ｄ２）を、判定及び切り替え部１０２に入力して用いることである。
【００７７】
実施の形態３では、動き検出部４０の出力信号（ｄ２）を判定及び切り替え部１０２に入力することにより、動画擬似輪郭の発生状況によって制御する。判定及び切り替え部１０２では、動き量情報（ｄ２）及び擬似輪郭検出部５０１の出力信号（ｄ６）に従い、対象の画素領域について、動き量に応じて、ディザ部８０の出力と、実階調数制限処理部１７０の出力とを切り替える。判定及び切り替え部１０２は、動き量が比較的小さく、動画擬似輪郭が発生する隣接２画素間の階調差がディザ量以下である場合は、ディザ部８０の出力を選択する。また、判定及び切り替え部１０２は、動き量が比較的大きく、動画擬似輪郭が発生する隣接２画素間の階調差がディザ量よりも大きい場合は、コード変換部９０の出力信号を選択する。
【００７８】
以上のように、実施の形態３では、動き検出部４０の出力信号（ｄ２）を判定及び切り替え部１０２に入力することにより、動画擬似輪郭の発生状況によって実施の形態２の構成よりも細やかに制御することができる。
【００７９】
以上、本発明者によってなされた発明を実施の形態に基づき具体的に説明したが、本発明は前記実施の形態に限定されるものではなく、その要旨を逸脱しない範囲で種々変更可能であることは言うまでもない。前記実施の形態１〜３は、基本構成を示すものであり、本発明は、前述したＰＤＰ装置１への適用のみならず、表示データをデジタル信号処理してサブフィールド法またはそれに準ずる方法に従って表示パネル部へ映像表示するための手段を備えるデバイス（デジタル表示装置）すべてにおいて適用することができ、かつ有効である。
【産業上の利用可能性】
【００８０】
本発明は、ＰＤＰ装置などの各種のデジタル表示装置及び表示システムに利用可能である。
【図面の簡単な説明】
【００８１】
【図１】本発明の実施の形態１のデジタル表示装置であるプラズマディスプレイ装置の全体構成図である。
【図２】本発明の一実施の形態のデジタル表示装置であるプラズマディスプレイ装置のプラズマディスプレイパネルの分解構成図である。
【図３】本発明の一実施の形態のデジタル表示装置であるプラズマディスプレイ装置におけるサブフィールド法のフィールド構成を示す図である。
【図４】本発明の実施の形態１のデジタル表示装置であるプラズマディスプレイ装置において、擬似輪郭検出部のブロック構成図である。
【図５】（ａ），（ｂ）は、本発明の実施の形態１のデジタル表示装置であるプラズマディスプレイ装置において、動画擬似輪郭検出領域の拡張についての説明図である。
【図６】本発明の一実施の形態のデジタル表示装置での表示方法におけるサブフィールド点灯パターン表の例（その１−１）を示す説明図である。
【図７】本発明の一実施の形態のデジタル表示装置での表示方法におけるサブフィールド点灯パターン表の例（その１−２）を示す説明図である。
【図８】本発明の一実施の形態のデジタル表示装置での表示方法におけるサブフィールド点灯パターン表の例（その１−３）を示す説明図である。
【図９】本発明の一実施の形態のデジタル表示装置での表示方法におけるサブフィールド点灯パターン表の例（その２−１）を示す説明図である。
【図１０】本発明の一実施の形態のデジタル表示装置での表示方法におけるサブフィールド点灯パターン表の例（その２−２）を示す説明図である。
【図１１】本発明の一実施の形態のデジタル表示装置での表示方法におけるサブフィールド点灯パターン表の例（その２−３）を示す説明図である。
【図１２】本発明の一実施の形態のデジタル表示装置での表示方法におけるサブフィールド点灯パターン表の例（その２−４）を示す説明図である。
【図１３】本発明の一実施の形態のデジタル表示装置での表示方法におけるサブフィールド点灯パターン表の例（その２−５）を示す説明図である。
【図１４】本発明の一実施の形態のデジタル表示装置での表示方法におけるサブフィールド点灯パターン表の例（その２−６）を示す説明図である。
【図１５】本発明の一実施の形態のデジタル表示装置での表示方法におけるサブフィールド点灯パターン表の例（その２−７）を示す説明図である。
【図１６】本発明の実施の形態２のデジタル表示装置であるプラズマディスプレイ装置の全体構成図である。
【図１７】本発明の実施の形態２及び３のデジタル表示装置であるプラズマディスプレイ装置において、擬似輪郭検出部のブロック構成図である。
【図１８】本発明の実施の形態２のデジタル表示装置での表示方法における、ディザ処理と実階調数制限処理との切り替えについての説明図である。
【図１９】本発明の実施の形態３のデジタル表示装置であるプラズマディスプレイ装置の全体構成図である。
【図２０】従来技術のプラズマディスプレイ装置及び表示方法において、画素のサブフィールド点灯パターンにおける桁上がり時の動画擬似輪郭の発生についての説明図である。
【図２１】従来技術のプラズマディスプレイ装置及び表示方法において、画素の動き時の残像によるノイズ発生についての説明図である。
【符号の説明】
【００８２】
１，１ｂ，１ｃ…ＰＤＰ装置、２，２ｂ，２ｃ…表示制御及び駆動回路部、３ａ…Ｘバス電極、３ｂ…Ｘ透明電極、４ａ…Ｙバス電極、４ｂ…Ｙ透明電極、１０…逆γ補正部、２０…ゲイン部、３０…誤差拡散部、４０…動き検出部、４１…前面基板、４２…背面基板、４３，４５…誘電体層、４４…保護層、４６ｒ，４６ｇ，４６ｂ…蛍光体層、４７…アドレス電極、４８…隔壁、５０，５０１…擬似輪郭検出部、５１…桁上げ検出部、５２…幅制御部、５３…階調差比較部、６０…非線形ゲイン部、７０…誤差拡散部、８０…ディザ部、９０…コード変換部、１００，１０１，１０２…判定及び切り替え部、１１０…ＳＦ変換部、１２０…アドレスドライバ、１３０…ＡＰＣ演算部、１４０…駆動信号生成部、１５０…スキャン／サステインドライバ、１６０…パネル(ＰＤＰ)、１７０…実階調数制限処理部。
【図１】
2007101923.tif 000003
【図２】
2007101923.tif 000004
【図３】
2007101923.tif 000005
【図４】
2007101923.tif 000006
【図５】
2007101923.tif 000007
【図６】
2007101923.tif 000008
【図７】
2007101923.tif 000009
【図８】
2007101923.tif 000010
【図９】
2007101923.tif 000011
【図１０】
2007101923.tif 000012
【図１１】
2007101923.tif 000013
【図１２】
2007101923.tif 000014
【図１３】
2007101923.tif 000015
【図１４】
2007101923.tif 000016
【図１５】
2007101923.tif 000017
【図１６】
2007101923.tif 000018
【図１７】
2007101923.tif 000019
【図１８】
2007101923.tif 000020
【図１９】
2007101923.tif 000021
【図２０】
2007101923.tif 000022
【図２１】
2007101923.tif 000023